(57)【特許請求の範囲】
【請求項１】
ポイントサービスに参加する複数のパートナー会員が運営するマーケットモールのＷＥＢページが参照されるとその応答として参照された当該ＷＥＢページに対してタグを付加して顧客会員の端末に送信するショップサーバと、各パートナー会員が運営するマーケットモールでの取引に応じて付与されたポイントを集中的に管理する運用管理サーバとがインターネット上に接続され、前記運用管理サーバは受信したプロダクトＩＤと購入金額或いはポイント情報に基づき、顧客会員を特定し、当該顧客会員に対するポイントを加算するポイント管理システムにおいて、

複数の顧客会員に対して配布され、夫々がプロダクトＩＤを有し、顧客端末にインストールされたときに当該端末のブラウザに機能を追加するツールバープログラムであって、

取得した当該マーケットモールのＷＥＢページにタグが付加されていると、顧客会員ＩＤとパスワードの入力欄を持つツールバーをブラウザの画面に表示させる手段と、

前記入力欄に顧客会員ＩＤとパスワードが入力されると、前記ブラウザ画面に対して入力された顧客会員ＩＤとパスワードと自身のプログラムＩＤとを、前記運用管理サーバへ送信するように前記ブラウザに指示する手段と、

前記送信した顧客会員ＩＤとパスワードと自身のプログラムＩＤが正当なものであると前記運用管理サーバが認証したことを前記ブラウザが受信すると、ブラウザ画面に表示された前記入力欄の代わり顧客会員を識別する情報をツールバーに表示させる手段と、

顧客が前記ショップサーバのＷＥＢページの誘導により商品を購入すると、前記ブラウザに対して、購入決定情報、プロダクトＩＤ及び購入金額或いはポイント情報を運用管理サーバへ送るように指示する手段とを有するツールバープログラム。
【発明の詳細な説明】
【技術分野】
【０００１】
本発明は、ポイント管理システムに関し、複数のパートナー会員において発行されたポイント数を合算して顧客会員において使用できるようにしたポイント管理方法およびポイント管理システムに関する。
【背景技術】
【０００２】
従来から、商品若しくはサービス（以下、「商品等」と呼称する）を販売または提供する小売店等（以下、「店舗」と呼称する）においては、販売活動等の促進、及び顧客の固定化を図るなどの目的のために商品等を購入した顧客に対して所定の購入金額毎にいわゆるポイントを提供し、次回以降の当該顧客の商品等の購入時には、当該顧客が積み立てた範囲で利用できるポイント数に応じた金額を商品等の購入額から割り引くことができるサービスを顧客に提供するサービス（ポイント）が提供されており、このようなポイント管理を、通信回線に接続された１又は複数のコンピュータ間で処理するポイント管理システムも提供されている。
【０００３】
通常、このようなポイントの提供は、チェーン店や量販店等を有する企業内において実施するものであるが、これを複数の企業において統一的に管理するものが例えば特許文献１叉は２に開示されている。
【０００４】
これらの文献によると、各企業が発行した複数種のポイントを１箇所で管理する管理サーバが用意される。ある企業において顧客がポイントを利用する際に、その企業が発行したポイントを超える場合があるが、その場合は決済時期に企業の発行ポイントを横並びでみて、発行ポイントを超えた企業に対しては現金等の金員で他の企業に補填する。同文献は、携帯電話をシステム実行上のプラットフォームとしており、顧客の顧客端末を介して、顧客自身の機密キーと企業側店舗の機密キーが入力されて始めて管理サーバと連携した取引が実現されるものとなっている。
【０００５】
また、特許文献３には、顧客のパソコンにソフトをダウンロードして追加の機能を実現するものが示されている。このソフトは、顧客がブラウザを立ち上げるとどのサイトを見るかに関係なくツールバーを表示する。このツールバーは、顧客の財布情報（段落符号［０１１９］参照）を提供するものである。財布情報は、クレジットカードタイプ、クレジットカード番号、有効期限、ユーザ名、料金請求先、電話番号、ユーザＩＤなどのクレジットカード由来の情報である。この財布情報自体はサーバに置かれており、保護キー入力によりツールバーに読み出すことが可能である。ツールバーの機能としてポイントについての開示はなく、複数の企業とのポイントを連携させるものではない。
【特許文献１】特開２００７-２７２５２４号公報
【特許文献２】特開２００７-２７２５２６号公報
【特許文献３】特開２００５-５０８０３５号公報
【発明の開示】
【発明が解決しようとする課題】
【０００６】
しかし、特許文献１叉は２に示されるような従来のポイント管理システムは、実店舗における取引を前提としており、インターネットによる複数のマーケットモールにおいて、共通のポイントを管理できる仕組みとはなっていない。
また、特許文献３に示されるようなツールバーを利用した顧客の財布情報においては、その管理の対象とできる情報としては、クレジット情報のような顧客の利用により顧客自身が直接債務を負う情報にしか過ぎない。
【０００７】
このため、本発明は、複数のパートナー会員が開設するインターネット上のマーケットモールにおいて発行されたポイントを合算し、ポイント還元を顧客に対して適正に行えるようにすることを目的とする。
【課題を解決するための手段】
【０００８】
本発明においては、マーケットモールを参照する際に自己がインストールされていることをブラウザに連絡させる手段と、取得した当該マーケットモールのＷＥＢページにツールバープログラムが応答するタグが付加されていると、顧客会員ＩＤとパスワードの入力欄を持つツールバーを表示する手段と、前記入力欄に顧客会員ＩＤとパスワードが入力されると前記運用管理サーバに対して認証を要求する手段と、
前記運用管理サーバが、認証したことを受信すると前記入力欄の代わり顧客会員を識別する情報をツールバーに表示する手段とを有するプログラムが用意される。このプログラムは、顧客会員の端末のブラウザに機能を追加する。
【０００９】
ポイント管理方法は、端末がパートナー会員のショップサーバ上のＷＥＢページをアクセスした際に、自己がインストールされた端末であることを通知する機能と、商品購入が前記端末により実行された際に当該取引を特定する情報と端末に付された情報とを前記運営管理サーバに報告する機能を有するプログラムを配布し、プログラムによって前記購入取引を特定する情報と端末に付された情報とを前記端末から報告されたときに、当該端末において行われた取引についての保留情報を運営管理サーバで記憶し、前記インストール済み通知を受けたＷＥＢページが閲覧された際に商品購入の取引がされ、取引が確定した場合、当該取引を特定する情報と付与ポイントの確定情報を前記ショップサーバから報告を受け、前記ショップサーバが確定したと報告した取引について、運営管理サーバの保留情報の記憶を確定情報に更新することを特徴とする。
【発明の効果】
【００１０】
本発明のポイント管理システムによれば、顧客端末にインストールされるプログラムにより、複数のパートナー会員が開設する各々のマーケットモールで発行されたポイントの合計ポイントを、顧客会員は統合して使用することができる。
【発明を実施するための最良の形態】
【００１１】
以下、図面を参照して、本発明の実施例を説明するが、以降の説明において、顧客会員とは、顧客会員登録の申請を行ってポイント口座を開設した顧客であり、一方、パートナー会員とは、パートナー会員登録申請を行った企業をいい、両者ともポイント管理システムの運営管理者或いは代行者との契約を取り交わして会員としての資格を入手する。
【００１２】
また、以下の説明では、パートナー会員の各々が発行するポイント数は、同じ購入金額によって交換レートに相違が或るものでもよいが、一旦発行されたポイントの現金への交換レートはどこのパートナー会員が発行したものであっても価値は、全て同じである。
【００１３】
図１は、本実施例に係るポイント管理システムの全体構成を示すものである。ポイント管理システム１は、それぞれのポイントを提供する複数のパートナー会員が保有するサーバ（ショップサーバ）１０と、前記複数のパートナー会員を統括する運営管理サーバ２０と、顧客会員が保持する端末３０と、これらを接続する通信回線４０とで構成される。
【００１４】
運営管理サーバ２０は、顧客会員管理ＤＢ（データベース）２１（図７）と、ポイント管理ＤＢ２２（図８）と、履歴ＤＢ２３（図９）とを備える。パートナー会員のショップサーバ１０は、ＷＥＢ上にマーケットモールを提供するサーバである。顧客会員の端末３０は、インターネットを閲覧するブラウザを有する通常のパーソナルコンピュータである。また、通信回線４０は、インターネット網である。
【００１５】
［企業、店舗による会員登録申請］
マーケットモールを運営する企業、店舗は、ポイントサービスの運営者或いはこれの代行者と契約を行いパートナー会員となることができる。パートナー会員にはパートナーＩＤが配布される。
【００１６】
さらに、当該ショップサーバ１０から顧客の端末３０に対してツールバープログラムを起動させるタグが配布される。ツールバープログラムについては後述する。パートナー会員は、自己のマーケットモールのＷＥＢページにこのタグが埋め込まれたものを用意する。タグはツールバープログラムにツールバーを表示させる制御情報であり、パートナー会員がショップ情報（例えば、パートナーＩＤ、購入金額の何％をキャッシュバックするかというポイントの交換レート、その他特典情報）を含められる。
【００１７】
また、ツールバープログラムが、自身が顧客端末３０にインストールされている情報を付与して送ってくる場合には、この情報によりタグを貼り付けたＷＥＢページを送るか貼り付けていないものを送るか選択する判断を行っても良い。
【００１８】
［顧客による会員登録申請］
個人は、インターネット上のパートナー会員のマーケットモールから誘導され或いは運用管理サーバ２０により提供されるホームページを直接訪れて、顧客会員として登録する。このホームページ上には、登録画面を表示させるリンクが張られている。
【００１９】
登録画面には、自分の好きなＩＤ（顧客会員ＩＤ、同一のＩＤが既に登録されているかのチェックは運営管理サーバで行う）、自己の名前、ポイント利用パスワード、電子メールアドレスについての記入をする欄が表示される。これら記入欄に記入して顧客が送信すると当該顧客の登録を確定する。運営管理サーバ２０は、顧客会員ＤＢ（データベース）２１にこれを格納する。顧客会員ＤＢ２１の内容は図７に示すものである。会員登録は、次に述べるツールバープログラムからも、運営管理サーバへ誘導することができる。このような会員登録は運用仮サーバのプログラムにより実現される。
【００２０】
［ツールバー］
図２は、本実施例により顧客会員の端末３０に表示されるツールバーを示している。
ツールバーはブラウザの画面のＷＥＢページ５０中に嵌め込んで表示される。ツールバー５１はポイントサービスのロゴを表示するエリア５２と、ＩＤ番号を入力させるテキストボックス５３と、パスワードをさせるテキストボックス５４とを有している。また、ツールバー５１は、ログインボタン５５と、会員登録のためのボタン５６と、利用案内や削除方法を表示させるボタン５７，５８を有している。顧客会員ＩＤと、パスワードとをテキストボックスに入力してログインボタン５５を押すと、ツールバープログラムはこれらの情報を運営管理サーバ２０に送付する。この際、ツールバープログラムが配布されたときに指定された配布番号も付せられて運営管理サーバ２０に送られる。
【００２１】
運営管理サーバ２０がこれを認証すると、端末３０のツールバー５１の表示が図３に示すように一部変更され、顧客会員ＩＤ５９と当該パートナー会員が提供するショップ情報６０が表示される。顧客会員ＩＤ５９はログイン認証のために入力された情報であり顧客を識別する情報として表示される。また、ショップ情報は、元々マーケットモールのＷＥＢページが参照されたときに得ていた情報であって、ログインの認証が済んでいなかったので隠されたツールバープログラムにより隠されていた情報である。
【００２２】
顧客会員はクッキーを有効にして、運営管理サーバ２０が認証したことにともない、顧客会員ＩＤ５９を端末３０に記憶させておいても良い。
【００２３】
会員登録のボタン５６を押すと、運営管理サーバ２０の新規会員登録の画面が新たなウインドウに開かれる。利用案内や削除方法を表示させるボタン５７，５８を押した場合、運営管理サーバ２０に接続され、顧客会員の端末３０に新たなウインドウが開いて該当情報が表示される。
【００２４】
［ツールバープログラム］
ツールバープログラムは、運用管理サーバ２０に設けられたホームページからのダウンロード、或いは他の媒体により配布される。ツールバープログラムは、インターネットブラウザに機能を追加するものである。本実施例においては、マイクロソフト社のＡｃｔｉｖｅＸの技術を利用して、同社のブラウザ（インターネットエクスプローラ）に機能を追加している。顧客は、このプログラムの利用契約に同意した上で、自らの端末にインストールしてブラウザに連動させる。
【００２５】
ツールバープログラムは、顧客端末３０のブラウザがパートナー会員ではないＷＥＢページを立ち上げただけでは機能しない。一方、パートナー会員のショップサーバ１０は、マーケットモールが閲覧された際には、タグが埋め込まれたＷＥＢページを送信するように設定されている。顧客がパートナー会員の運営するインターネットマーケットモールを訪れたときに、ツールバープログラムはＷＥＢページ中のタグに応答してツールバーをＷＥＢページ内に出現させる。
【００２６】
ツールバープログラムは、この他に運営管理サーバ２０に対して、顧客会員にログインさせる機能や、獲得ポイントを報告する機能を有している。
【００２７】
図１は端末３０の主メモリ３１、ツールバープログラム３２は以下に説明する各機能を実行する手段を有している。
【００２８】
ａ）インストール済み情報生成手段３３
ツールバープログラムが端末３０にインストールされていることをインターネット上に通知するようにブラウザに機能させる手段である。この手段により、顧客会員がＷＥＢページを取得する際に、インストール済みであることを示す情報をブラウザが発信する。インストール済みであることを示す情報は、ポイントサービスに参加している装置であることを意味する情報である。このインストール済み情報は、閲覧者がポイントサービスを利用した（するであろう）購入であることをショップサーバ１０側で認識することができるものであり、購入が決定した段階において運営管理サーバ２０に対するポイント獲得情報の提供の契機となる。尚、パートナー会員のショップサーバ１０においては、ＷＥＢページを送信する際に、タグを組み込んだものを送付するか、組み込まないものを送付するかを、ツールバープログラムがインストール済みであるかどうかにより選択する。タグはツールバープログラムがインストールされていなければ、単に無視されるだけであるので、全てタグ付きのものとしても良い。
【００２９】
ｂ）ツールバー発生手段３４
取得したＷＥＢページにタグが埋め込まれている場合には、ツールバー５１を取得したＷＥＢページ５０の表示画面内に出現させる手段である。この場合において、タグをＷＥＢページに埋め込むのではなく、添付するものとして、ブラウザ自体のツールバー６２として出現させても良いが、ＷＥＢページ５０の大きさ自体が変動する印象を顧客に抱かせることになる。本実施例の場合は、ＷＥＢページ面の最上部位置にタグが埋め込まれ、ツールバーを表示させている。
【００３０】
この手段は、図２または図３に示すツールバーを表示させる手段を持っている。図２に示すツールバーは、顧客会員が慣用管理サーバ２０にログインする前であるときに表示するツールバーであり、図３に示すツールバーは、ログイン後に運用管理サーバ３０が正当なものであると返答した場合に応答して表示するツールバーである。尚、ブラウザのクッキーにより、過去にログインしたことを当該端末３０に記憶させることができる。この場合記憶されるのは、当該顧客会員ＩＤでログイン認証が終了したことを示す情報である。顧客会員がクッキーを有効に許可している場合には、かつてのログインにより、図２の表示をすることなく、図３の表示を行うことができる。
【００３１】
ｃ）運用管理サーバ通信手段３５
図２に示すツールバーに顧客会員ＩＤ、パスワードが入力され、ログインボタン５５が押されたことに応答し、ブラウザに対して運用管理サーバ３０に送信させる手段である。
【００３２】
この手段は、さらに、顧客会員がマーケットモールにおける購入決定したことに応答し、運用管理サーバ３０に対して購入決定を通知する手段を有している。顧客会員の入力により購入金額或いはポイント情報が、マーケットモールのＷＥＢページから端末３０側で取得できる場合は、これらを取得して、運用管理サーバ２０に通知される購入決定の情報に含めて送付する。
【００３３】
［マイページ］
マイページは、運営管理サーバ２０のホームページから顧客会員ＩＤ、パスワードを入力することにより開かれる顧客会員に固有のポイント口座のページである。図４に示すように、マイページ７０には、顧客会員が積み立てたポイントの合計（トータル積立ポイント）７１と、ある纏まった単位のポイント（現金に交換可能な交換可能ポイント、例えば１０００ポイント単位）７２が表示されている。また、交換可能ポイントを現金に振り替える際に、顧客会員名義の銀行への振替え手続きに進めるボタン７３を有している。
【００３４】
マイページ７０には、このほか顧客会員がポイントを積立てた履歴７４も表示されており、これには「購入日付」、「購買先」、「商品名」、「注文番号」、「状態」、「積立ポイント」が含まれている。「状態」は、「積立ポイント」は状態を示しており、商品購入後に金員の取引が確定していない「保留」、商品の返品、払い戻しにより取引が取り消された「取消」、取引が終了した「確定」の別が表示される。ここにおいて、「確定」のポイントがトータル積立ポイントに反映されている。
【００３５】
［ポイント管理ＤＢ２２］
図５にポイント管理ＤＢ２２を示す。ポイント管理ＤＢ２２に登録されるデータは、注文番号、パートナー会員ＩＤ、購入した日付、付与ポイント数、状態、有効期限である。図中、０８.０５.０８付け３時５０分のエントリ８０における「状態」の欄には(保留)のフラグ８１が付与されているが、これは金銭の取引が確定していないことを示している。
【００３６】
また、有効期限は購入した日付より２年が設定されている。しかしながら、最新のポイント発生日付より同一顧客会員が１年間経過した間の利用を無い場合には、その顧客会員のポイントは全て無効となる。
【００３７】
尚、注文番号は、顧客会員とパートナー会員の個別の各取引を一意に特定するものであって、パートナー会員が独自に採番したものである。
【００３８】
［端末３０と運営管理サーバ２０とショップサーバ１０のプログラムの動作］
以降、各装置のプログラムの動作を、図６を用いて説明する。ここにおいて、顧客会員の端末３０には、予めツールバープログラムがインストールされているものとする。また、ショップサーバ１０、運用管理サーバ２０の各機能は、図示してはいないがプログラムで実現される手段となっている。
【００３９】
顧客会員は、自己の保有する端末３０によりブラウザを立ち上げる。顧客会員により、パートナー会員のマーケットモールのＵＲＬが指定されると、インストール情報生成手段３３は、ツールバープログラムがインストールされていることを示す情報を付加してＷＥＢページの取得を通信回線４０にブラウザに送信させる（Ｓ１１、ａ）。ショップサーバ１０は、マーケットモールのＷＥＢページを顧客会員の端末３０に送信する（Ｓ２０、ｂ）。送信されるＷＥＢページにはタグが貼り付けられている（Ｓ２１、ｂ）。
【００４０】
ツールバー発生手段３４は、タグを検出するとＷＥＢページ内にツールバー５１を表示する。顧客会員がまだログインしていないので、図２に示したツールバー５１を表示する（Ｓ１２）。
【００４１】
顧客会員が顧客会員ＩＤ及びパスワードを入力してログインボタン５５を押すと、運用管理サーバ通信手段３５は、ブラウザ３２を機能させて顧客会員ＩＤ及びパスワードを運営管理サーバ２０に送信する（ｃ）。この際、ツールバープログラムが配布されたときに付与されたプロダクトＩＤを併せて送付する。
【００４２】
運営管理サーバ２０は、ツールバープログラムが送信するプロダクトＩＤと受信した顧客会員ＩＤ及びパスワードにより、会員登録した顧客がログインをしたかの正当性を図７に示す顧客会員管理ＤＢ２１によりチェックする（Ｓ３１）。正当である場合は、その旨を端末３０に回答する（ｃ）。
【００４３】
またプロダクトＩＤを顧客会員ＩＤと関連付けて登録する。プロダクトＩＤは、会員顧客が自己の端末にのみインストールすることを条件として、その端末を識別する情報として利用される（Ｓ３１）。
【００４４】
顧客会員は、パートナー会員のマーケットモールにおいて商品（またはサービス）を買い物カゴに入れて買い物を行う。
【００４５】
購入決定画面において、商品を決定し支払い方法を選択して購入を決定する（ｅ）。運用管理サーバ通信手段３５は、ＷＥＢページ上で購入決定がされたことに応答して、購入決定情報をパートナーＩＤやプロダクトＩＤとともに運用管理サーバ２０へ送る（Ｓ１３、ｆ）。
【００４６】
購入決定を運用管理サーバ通信手段３５が認知する手段としては、ＷＥＢページ上の購入決定ボタンを予めプログラムしておき運用管理サーバ通信手段３５が認知できるものとする。また、購入代金をショップサーバ１０から端末３０に送る際に、ツールバープログラムに対してポイント数或いは購入代金、注文番号、商品の情報を取得できるように購入決定画面をプログラムしておけば、運用管理サーバ通信手段３５は当該ポイント数を或いはショップ情報からポイントを掲載して運用管理サーバ２０へ送信する。
【００４７】
運用管理サーバ２０においては、プロダクトＩＤとパートナー会員ＩＤとを受信すると、プロダクトＩＤで指定される顧客会員ＩＤに対してポイントの更新があったことを日付とともにポイント管理ＤＢ２２に記憶する（Ｓ３２）。この場合において、運用管理サーバ通信手段３５がポイント数や注文番号、商品の情報も合わせて送付してくれば、その情報もポイント管理ＤＢ２２に記憶する。これらの情報は、顧客会員がマイページを参照したときに閲覧できるが、次に述べるパートナー会員からの確定情報の連絡がなければ保留の表示となる。
【００４８】
パートナー会員において、顧客会員から商品の取引が終了した時点で、ショップサーバ１０は、パートナーＩＤと注文番号を指定して、ポイントの処分が決定したことを連絡する（Ｓ２２）。この連絡は、ショップサーバ１０側でツールバープログラムを利用した購入であることを知っているので、実行することができる。この決定には、購入代金支払い完了による「確定」、返品等による「取消」が含まれる。その際、運営管理サーバ２０において、マイページの履歴７５を表示するのに必要な情報を保持していない場合には、その情報もあわせて送付する。
【００４９】
運用管理サーバ２０は、ショップサーバ１０からの情報を元に、当該パートナーＩＤ、注文番号に該当するポイント管理ＤＢ２２のエントリに情報を格納し、或いは「状態」を「確定」又は「取消」の状態とする（Ｓ３３）。
【００５０】
ポイント管理ＤＢ２２には、マーケットモールでの取引についての経過が、ツールプログラムにより報告されてエントリに残るため、その後所定の時間を経過しても保留の状態のままの取引について、運営管理サーバ２０はショップ会員に問い合わせることができる。
【００５１】
上記したように、一旦、顧客会員が自己の端末３０でツールバー５１を用いてログインすると、プロダクトＩＤは顧客会員ＩＤと関連付けて運営管理サーバ２０において記憶されることになる。従って、後日、顧客会員がパートナー会員のマーケットモールを閲覧する際には、運営管理サーバ２０はプロダクトＩＤに基づき顧客会員を特定する。従って、顧客会員が別の端末３０‘に違うプロダクトＩＤをもつツールバープログラムをインストールすると、その端末３０‘が運営管理サーバ２０に接続された際には、再度ログインしなければ、顧客会員ＩＤと関連付けられない。一方、端末３０を他人が利用した際に、当該他人もポイントサービスが受けられるようにツールバー５１には、「他のＩＤでログイン」と記載されたボタンが付けられている（図３、６１参照）。このボタンが押されたことを運営管理サーバ２０が受信すると、ツールバー５１に再び顧客会員ＩＤとパスワードの入力欄を表示し、各欄に入力がされログインされた場合にはこれをチェックして、ログイン管理ＤＢ２４のプロダクトＩＤと顧客会員ＩＤの対応付けを変える。
【００５２】
尚、顧客会員がツールバープログラムをダウンロードせずに購入を行うと、ツールバープログラムにより運営管理サーバ２０に案内することができないため、ポイントの積立は行われない。一方、ダウンロードしてあっても、一旦ログインしていないと、顧客会員ＩＤとの関連が付けられず、ポイントの積立は行われない。
【００５３】
［ポイント利用申請］
顧客会員が、パートナー会員のマーケットモールに訪問して、積み立てたポイントを使用する場合について説明する。
【００５４】
運営管理サーバ２０のマイページを呼び出し、口座振替申請ボタン７３を押すと、図８の申請ページが開かれる。換金するポイント数９２、銀行口座番号等９３を入力する。運営管理サーバ２０は、入力されたポイント数が顧客会員のポイント口座の交換可能ポイントの上限を超えていないかをチェックする。超えていなければ運用管理サーバ２０は、交換ポイント数だけ顧客会員のポイント口座のトータル積立ポイント数を減算する。この減算は、有効期限の迫っているものから行う。また、ポイントの使用履歴として、使用日付、銀行口座名、名義人名、状態を履歴ＤＢ２３に記録する。記憶の内容は図９に示す。また、指定銀行口座への振り込み状態を示す情報も記録される。これらの情報に基づき、ポイント交換の履歴が申請ページの下欄に履歴情報９４として表示される。
【００５５】
上記実施例をビジネスモデルとして運用する場合は、ポイントサービスによる顧客誘導の成功報酬としてパートナー会員の売り上げに応じたサービス料をパートナー会員から徴収するものが考えられる。この徴収した金員が、顧客会員へのキッシュバックの原資の一部となる。
【００５６】
上記実施例において、ツールバープログラムが配布された際のプロダクトＩＤを用いて顧客会員ＩＤと関連つけたが、ツールバープログラムからのログインの際に運用管理サーバ側でＩＤを割り付けて、クッキーにより端末３０に記憶させてもよい。この場合、このＩＤをプロダクトＩＤの代わりに用いて顧客の端末を特定する。会員顧客がクッキーを有効にしていない場合は、毎回ログインが行われ、その度に違うＩＤが付与されることになる。
【００５７】
上記実施例において、ショップサーバ１０と運営管理サーバ２０の間における、会員顧客による購入取引の特定は、注文番号とパートナーＩＤを利用するものとしたが、パートナーＩＤと、会員顧客ＩＤ、購入日時によっても特定することができる。
【図面の簡単な説明】
【００５８】
【図１】本実施例に係るポイント管理システムの全体構成を示す図である。
【図２】ブラウザによる閲覧したパートナー会員のページ構成例を示す図である。
【図３】ブラウザによる閲覧したパートナー会員のページ構成例を示す図である。
【図４】マイページの構成例を示す図である。
【図５】ポイント管理ＤＢ２２の内容を示す図である。
【図６】ポイント管理システムのプログラムを示す図である。
【図７】ログイン管理ＤＢ２４の内容を示す図である。
【図８】振替申請ページの構成例を示す図である。
【図９】履歴ＤＢ２３の内容を示す図である。
【符号の説明】
【００５９】
１： ポイント管理システム
１０：パートナー会員のサーバ
２０：運営管理サーバ
２１：顧客会員管理ＤＢ 
２２：ポイント管理ＤＢ２２
２３：履歴ＤＢ
３０：顧客会員の端末
５１：ツールバー
【図１】
0005147663.tif 000002
【図５】
0005147663.tif 000003
【図７】
0005147663.tif 000004
【図９】
0005147663.tif 000005
【図２】
0005147663.tif 000006
【図３】
0005147663.tif 000007
【図４】
0005147663.tif 000008
【図６】
0005147663.tif 000009
【図８】
0005147663.tif 000010